(57)【要約】【課題】アクチュエータと連動するガイド部材がフレキシブル配線部材の挿入方向に関する手前側においてフレキシブル配線部材を押圧することによって、該フレキシブル配線部材の信号線が端子と接続する位置よりもフレキシブル配線部材の挿入方向に関する手前側においてグランド層を接地用導電部材に押圧して確実に接続することができ、信号線から発生したノイズが前記信号線や他の信号線へ影響を与えないようにするためにグランド層と接地用導電部材を接地させることによってノイズ発生を抑制することができるようにする。【解決手段】フレキシブル配線部材を挿入する挿入口を備えるハウジングと、端子と、第１位置と第２位置との間を姿勢変化可能なアクチュエータと、接地用端子と、第１位置と第２位置との間を姿勢変化可能であって、アクチュエータと連動するガイド部材とを有する。【選択図】図１
2006190596.tif 000002
【特許請求の範囲】
【請求項１】
（ａ）フレキシブル配線部材（６１）を挿入する挿入口（３４）を備えるハウジング（３１）と、
（ｂ）該ハウジング（３１）に装填され、前記フレキシブル配線部材（６１）の信号線と電気的に接続するコンタクト片（４３）、及び、前記挿入口（３４）と反対側に突出するテール部（４２）を備える端子（４１）と、
（ｃ）前記フレキシブル配線部材（６１）を挿入可能な第１位置と挿入された前記フレキシブル配線部材（６１）を前記コンタクト片（４３）に押付ける第２位置との間を姿勢変化可能であって、前記第２位置において前記フレキシブル配線部材（６１）を前記コンタクト片（４３）に押付ける押圧部（１４）、及び、本体部（１５）を備えるアクチュエータ（１１）と、
（ｄ）前記ハウジング（３１）の前記挿入口（３４）側の端部に装填され、前記信号線と前記コンタクト片（４３）とが接続する位置よりもフレキシブル配線部材（６１）を挿入する方向に関する手前側において、前記フレキシブル配線部材（６１）のグランド層と電気的に接続するコンタクト部（２４ａ）を備える接地用端子（２４）と、
（ｅ）前記フレキシブル配線部材（６１）をガイドする第１位置と挿入された前記フレキシブル配線部材（６１）を前記コンタクト部（２４ａ）に押付ける第２位置との間を姿勢変化可能であって、前記第２位置において前記フレキシブル配線部材（６１）を前記コンタクト部（２４ａ）に押付ける押圧部（２２ａ）、前記フレキシブル配線部材（６１）をガイドするガイド面（２２ｃ）、及び、本体部（２２）を備え、前記アクチュエータ（１１）と連動するガイド部材（２１）とを有することを特徴とするフレキシブル配線部材用コネクタ（１０）。
【請求項２】
前記ガイド部材（２１）は、前記フレキシブル配線部材（６１）を挿入する方向にスライド可能に前記ハウジング（３１）に取付けられる請求項１に記載のフレキシブル配線部材用コネクタ（１０）。
【請求項３】
前記アクチュエータ（１１）は、前記ガイド部材（２１）に当接して該ガイド部材（２１）をスライドさせるカム部（１３ａ）を備える請求項１又は２に記載のフレキシブル配線部材用コネクタ（１０）。
【請求項４】
前記接地用端子（２４）は、先端が前記挿入口（３４）側から前記端子（４１）のコンタクト片（４３）へ向くように、前記フレキシブル配線部材（６１）側に曲げ加工されている請求項１〜３のいずれか１項に記載のフレキシブル配線部材用コネクタ（１０）。
【発明の詳細な説明】
【技術分野】
【０００１】
本発明は、フレキシブル配線部材用コネクタに関するものである。
【背景技術】
【０００２】
従来、フレキシブルフラットケーブル（ＦＦＣ：Ｆｌｅｘｉｂｌｅ  Ｆｌａｔ  Ｃａｂｌｅ）、フレキシブル回路基板（ＦＰＣ：Ｆｌｅｘｉｂｌｅ  Ｐｒｉｎｔｅｄ  Ｃｉｒｃｕｉｔ）等と称される平板状で可撓（とう）性を有するフレキシブル配線部材を接続するために、アクチュエータを備えるコネクタが使用されている（例えば、特許文献１参照。）。
【０００３】
図２は従来のコネクタの断面図である。
【０００４】
図２に示されるコネクタは、フレキシブル回路基板、すなわち、ＦＰＣを接続するためのコネクタであり、ＦＰＣを挿入するための挿入口１０３を備えるハウジング１０１と、該ハウジング１０１に並列して取付けられ、コンタクト片１０５が前記挿入口１０３から挿入されたＦＰＣの面と対向して延在する複数個の端子１０２と、該端子１０２のコンタクト片１０５を前記挿入口１０３から挿入されたＦＰＣに向けて押圧するアクチュエータ１０７とを有する。該アクチュエータ１０７は、ＦＰＣを挿入口１０３に挿入可能な開位置１０７ａから回動することによって、ＦＰＣを端子１０２のコンタクト片１０５に向けて押圧して取外しを不能とするようになっている。これにより、ＦＰＣの表面に露出した信号線の各々がコンタクト片１０５に押圧されて接触するので、信号線とコンタクト片１０５との電気的な接続を確保することができる。
【特許文献１】特開２００４−８７３６１号公報
【発明の開示】
【発明が解決しようとする課題】
【０００５】
しかしながら、前記従来のコネクタにおいては、アクチュエータ１０７が、ＦＰＣの長手方向に関して１ヶ所でのみ、ＦＰＣをコンタクト片１０５に向けて押圧するようになっている。そのため、例えば、信号線の周囲にグランド層を備えるＦＦＣであって、信号線の露出位置とグランド層の露出位置とが長手方向において相違するＦＦＣを接続する場合、アクチュエータ１０７によって信号線の露出位置近傍を押圧することはできても、グランド層の露出位置近傍を押圧することができず、グランド層と接地端子との接続を確保することが困難になってしまう。
【０００６】
本発明は、前記従来のコネクタの問題点を解決して、アクチュエータと連動するガイド部材がフレキシブル配線部材の挿入方向に関する手前側においてフレキシブル配線部材を押圧することによって、該フレキシブル配線部材の信号線が端子と接続する位置よりもフレキシブル配線部材の挿入方向に関する手前側においてグランド層を接地用導電部材に押圧して確実に接続することができ、信号線から発生したノイズが前記信号線や他の信号線へ影響を与えないようにするためにグランド層と接地用導電部材を接地させることによってノイズ発生を抑制することができるフレキシブル配線部材用コネクタを提供することを目的とする。
【課題を解決するための手段】
【０００７】
そのために、本発明のフレキシブル配線部材用コネクタにおいては、フレキシブル配線部材を挿入する挿入口を備えるハウジングと、該ハウジングに装填（てん）され、前記フレキシブル配線部材の信号線と電気的に接続するコンタクト片、及び、前記挿入口と反対側に突出するテール部を備える端子と、前記フレキシブル配線部材を挿入可能な第１位置と挿入された前記フレキシブル配線部材を前記コンタクト片に押付ける第２位置との間を姿勢変化可能であって、前記第２位置において前記フレキシブル配線部材を前記コンタクト片に押付ける押圧部、及び、本体部を備えるアクチュエータと、前記ハウジングの前記挿入口側の端部に装填され、前記信号線と前記コンタクト片とが接続する位置よりもフレキシブル配線部材を挿入する方向に関する手前側において、前記フレキシブル配線部材のグランド層と電気的に接続するコンタクト部を備える接地用端子と、前記フレキシブル配線部材をガイドする第１位置と挿入された前記フレキシブル配線部材を前記コンタクト部に押付ける第２位置との間を姿勢変化可能であって、前記第２位置において前記フレキシブル配線部材を前記コンタクト部に押付ける押圧部、前記フレキシブル配線部材をガイドするガイド面、及び、本体部を備え、前記アクチュエータと連動するガイド部材とを有する。
【０００８】
本発明の他のフレキシブル配線部材用コネクタにおいては、さらに、前記ガイド部材は、前記フレキシブル配線部材を挿入する方向にスライド可能に前記ハウジングに取付けられる。
【０００９】
本発明の更に他のフレキシブル配線部材用コネクタにおいては、さらに、前記アクチュエータは、前記ガイド部材に当接して該ガイド部材をスライドさせるカム部を備える。
【００１０】
本発明の更に他のフレキシブル配線部材用コネクタにおいては、さらに、前記接地用端子は、先端が前記挿入口側から前記端子のコンタクト片へ向くように、前記フレキシブル配線部材側に曲げ加工されている。
【発明の効果】
【００１１】
本発明によれば、フレキシブル配線部材用コネクタは、アクチュエータと連動するガイド部材がフレキシブル配線部材の挿入方向に関する手前側においてフレキシブル配線部材を押圧する。これにより、フレキシブル配線部材の信号線が端子と接続する位置よりもフレキシブル配線部材の挿入方向に関する手前側においてグランド層を接地用導電部材に押圧して確実に接続することができ、信号線から発生したノイズが前記信号線や他の信号線へ影響を与えないようにするためにグランド層と接地用導電部材を接地させることによってノイズ発生を抑制することができる。
【発明を実施するための最良の形態】
【００１２】
以下、本発明の実施の形態について図面を参照しながら詳細に説明する。
【００１３】
図１は本発明の実施の形態におけるコネクタを示す斜視図でありアクチュエータが第１位置にあるときの斜め上前方から観た図、図３は本発明の実施の形態におけるコネクタを示す斜視図でありアクチュエータが第１位置にあるときの斜め上後方から観た図、図４は本発明の実施の形態におけるコネクタの三面図である。なお、図４（ａ）は前面図、図４（ｂ）は上面図、図４（ｃ）は側面図である。
【００１４】
図１、３及び４において、１０は本実施の形態におけるフレキシブル配線部材用コネクタとしてのコネクタであり、図示されない基板に実装され、フレキシブルフラットケーブル（ＦＦＣ）、フレキシブル回路基板（ＦＰＣ）等と称される平板状で可撓性を有するフレキシブル配線部材を電気的に接続するために使用される。なお、本実施の形態において、フレキシブル配線部材がフレキシブルフラットケーブル、すなわち、ＦＦＣであるものとして説明する。また、本実施の形態において、コネクタ１０の各部の構成及び動作を説明するために使用される上、下、左、右、前、後等の方向を示す表現は、絶対的なものでなく相対的なものであり、コネクタ１０が図に示される姿勢である場合に適切であるが、コネクタ１０の姿勢が変化した場合には姿勢の変化に応じて変更して解釈されるべきものである。
【００１５】
ここで、前記コネクタ１０は、合成樹脂等の絶縁材によって一体的に形成されたコネクタ本体としてのハウジング３１と、合成樹脂等の絶縁材によって一体的に形成され、前記ハウジング３１にスライド可能に取付けられたケーブル固定用第１可動部材としてのガイド部材２１と、前記ハウジング３１に姿勢変化可能に取付けられたケーブル固定用第２可動部材としてのアクチュエータ１１とを有する。すなわち、該アクチュエータ１１は、姿勢変化して第１位置及び第２位置になるように前記ハウジング３１に取付けられている。また、前記ガイド部材２１は、アクチュエータ１１によってスライドさせられ、該アクチュエータ１１が第１位置から第２位置になるように姿勢変化すると、第１位置から第２位置になるようにスライドする。なお、第１位置とは、後述されるフレキシブル配線部材としてのＦＦＣ６１を挿入口３４から挿入することができる開位置であり、図１、３及び４に示されるような位置である。また、第２位置とは挿入口３４から挿入されたＦＦＣ６１を保持する保持位置である。
【００１６】
そして、前記ガイド部材２１は、横方向に延在する本体部２２及び該本体部２２の左右両端から前方に向けて突出する側部２３を有する。また、前記アクチュエータ１１は、横方向に延在する本体部１５及び該本体部１５の左右両端から前方に向けて突出する側部１３を有する。なお、該側部１３の前端上縁には、ガイド部材２１の側部２３の下面に当接してガイド部材２１をスライドさせる機能を果たすカム部１３ａが形成されている。さらに、前記ハウジング３１は、前部３２、後部３５、後述される左右の側部３３、並びに、前記前部３２、後部３５及び側部３３の間に形成され、上方からＦＦＣ６１の端部を挿入するための開口部である挿入口３４を有する。また、図４（ｂ）に示されるように、挿入口３４内には金属製の端子４１が装填される端子受入溝３７が複数形成されている。該端子受入溝３７は、例えば、ピッチ約０．５〔ｍｍ〕で２０本程度形成され、各端子受入溝３７には端子４１が１つずつ装填されるようになっている。なお、必ずしもすべての端子受入溝３７に端子４１が装填される必要はなく、ＦＦＣ６１の信号線の配列に対応させて、端子４１を適宜省略することができる。
【００１７】
また、前記ハウジング３１の下端からは、前記端子４１のテール部４２が後方（図４（ｃ）における右方）へ向けて延在するように突出している。前記テール部４２は、図示されない基板の面上に形成された配線にはんだ付等によって接続される。さらに、前記ハウジング３１の左右の側部３３には、金属製のネイル部材５１が取付けられている。該ネイル部材５１は金属板を加工したものであり、ハウジング３１の下方に突出し、はんだ付等によって基板に取付けるための突出部５１ｂを有する。また、前記ネイル部材５１は、ハウジング３１の左右の側部３３前方において、上方に向けて延在する板ばね部５１ａを有する。該板ばね部５１ａは、上端が自由端となっている片持ち梁（はり）、すなわち、カンティレバー状の部材であり、その上端部に後方に向けて膨出する突起部５１ｃが形成されている。
【００１８】
さらに、ハウジング３１の前部３２には、接地用端子としてのグランド部材２４が取付けられている。該グランド部材２４は、ＦＦＣ６１のグランド層に接触して電気的に接続される後述されるコンタクト部２４ａ、及び、基板の面上に接続されるグランドテールとしてのテール部２４ｂを有する。ここで、前記グランド部材２４は、金属製の板部材から打抜き等の成形によって、一体的に成形されている。そして、グランド部材２４の本体部は、前部３２の前面（図４（ｃ）における左側面）に形成されたグランド取付部３２ａに、上下方向に延在するように取付けられている。この場合、グランド部材２４の本体部における下端近傍部分がグランド取付部３２ａのスリット内に挿入されて固定され、グランド部材２４の本体部がカンティレバー状の板ばねとして機能する。
【００１９】
また、グランド部材２４の本体部上端は概略Ｕ字状に曲げられ、下方かつ後方（図４（ｃ）における下方かつ右方）に向かって延びるような形状、すなわち、挿入口３４から挿入されたＦＦＣ６１側に曲げられた形状のコンタクト部２４ａが形成されている。そして、該コンタクト部２４ａは、前部３２の後面（図４（ｃ）における右側面）における上端部の近傍に形成された溝状のグランド収容凹部３８に収容されている。さらに、グランド部材２４の本体部下端は概略Ｌ字状に曲げられ、ハウジング３１の下端から前方へ向けて延在するように突出するテール部２４ｂが形成されている。なお、図１、３及び４に示される例において、グランド部材２４及びグランド取付部３２ａは、例えば、ピッチ約５〔ｍｍ〕で５つ配設されているが、これらの数は、いくつであってもよく、さらに等間隔に配設される必要もなく、適宜決定することができる。
【００２０】
そして、コネクタ１０は、図１及び３において下方に配設される後述される基板の面上に実装される。この場合、前記ネイル部材５１の突出部５１ｂの下面が前記基板の面上に形成された接続パッドにはんだ付等によって接続され、また、前記端子４１の後端に突出するテール部４２が前記基板の面上に形成された配線にはんだ付等によって接続される。さらに、グランド部材２４のテール部２４ｂが前記基板の面上に形成された接地用ランドにはんだ付等によって接続される。これにより、ハウジング３１が前記基板の面上に固定されるとともに、端子４１のそれぞれが対応する配線に電気的に接続されて電気的接続部を形成し、かつ、グランド部材２４が接地用ランドに電気的に接続されて接地回路を形成する。
【００２１】
次に、ハウジング３１にガイド部材２１及びアクチュエータ１１を取付ける方法について説明する。
【００２２】
図５は本発明の実施の形態におけるコネクタのハウジングにガイド部材を取付ける方法を示す図、図６は本発明の実施の形態におけるコネクタのハウジングにアクチュエータを取付ける方法を示す図である。なお、図５（ａ）及び６（ａ）は取付け前の状態を示し、図５（ｂ）及び６（ｂ）は取付け後の状態を示している。また、図５及び６に示される例では、説明の都合上、ハウジング３１、ガイド部材２１及びアクチュエータ１１の幅方向（図４（ａ）における左右方向）の寸法が、図１、３及び４に示される例と比較して短縮されており、例えば、グランド取付部３２ａの数が２つになっている。
【００２３】
まず、図５（ａ）に示されるように、ガイド部材２１をハウジング３１の後方から矢印Ａで示される方向に移動させてハウジング３１に取付ける。ここで、該ハウジング３１の両方の側部３３の表面には、ハウジング３１から横方向、すなわち、外方向に向けて突出して上下方向に延在するガイド突起３３ａ、及び、該ガイド突起３３ａの上端に接続され、ハウジング３１の外方向に向けて突出して前後方向に延在するストッパ突起３３ｃが形成されている。なお、前記ガイド突起３３ａは、ハウジング３１の側部３３の上端から下方に向かって途中まで延在するが、ハウジング３１の側部３３の下端から所定の範囲には存在しないように形成されている。また、ハウジング３１の両方の側部３３の表面におけるガイド突起３３ａの下端近傍には、ハウジング３１の外方向に向けてわずかに突出して前後方向に延在するロック突条３３ｂが形成されている。該ロック突条３３ｂの突出量は、ガイド突起３３ａよりもかなり小さくなっている。
【００２４】
また、図５（ａ）に示されるように、ガイド部材２１において、本体部２２の左右両端から前方に向けて突出する側部２３の内側面には、横方向、すなわち、内方向に向けて突出して、前記ハウジング３１のガイド突起３３ａにスライド可能に係合する係合突起２３ａが形成されている。ガイド部材２１の左右の側部２３に形成された係合突起２３ａの対向面間の距離は、ハウジング３１の両方の側部３３の表面間の距離にほぼ等しく、前記ハウジング３１のガイド突起３３ａに係合突起２３ａが係合することによって、前記ガイド部材２１はハウジング３１にスライド可能に取付けられる。また、前記係合突起２３ａの対向面のそれぞれには、前記ロック突条３３ｂと係合する図示されないロック溝が形成されている。なお、前記本体部２２の前面は挿入されるＦＦＣ６１をガイドするガイド面２２ｃであり、該ガイド面２２ｃの下端には、前方に向けて突出して横方向に延在する押圧部２２ａが形成されている。該押圧部２２ａは、ガイド部材２１が第２位置になると、ＦＦＣ６１の挿入方向に関するグランド部材２４のコンタクト部２４ａに対応する部位をコンタクト部２４ａに向けて押圧するようになっている。
【００２５】
そして、ガイド部材２１をハウジング３１に取付ける際には、図５（ａ）に示されるように、ガイド突起３３ａの存在しない範囲に係合突起２３ａが位置するような高さにガイド部材２１を維持して、矢印Ａで示される方向に移動、すなわち、前進させる。係合突起２３ａがガイド突起３３ａよりも前方に位置するまでガイド部材２１を前進させた後、図５（ｂ）に示されるように、ガイド部材２１を矢印Ｂで示される方向に移動、すなわち、上昇させる。これにより、ガイド部材２１の両方の側部２３に形成された係合突起２３ａがハウジング３１の両方の側部３３に形成されたガイド突起３３ａに係合する。この場合、該ガイド突起３３ａの後方の面は、ガイド部材２１の本体部２２における前面の両側端部に当接する。すなわち、ガイド突起３３ａは前後から係合突起２３ａと本体部２２とによって挟まれた状態となる。そのため、ガイド部材２１は、ガイド突起３３ａに沿って上下方向にスライドすることができる。なお、図５（ｂ）は、ガイド部材２１が上限位置に到達し、係合突起２３ａの上面がストッパ突起３３ｃの下面に当接した状態を示している。
【００２６】
また、ガイド部材２１が上限位置に到達すると、ガイド部材２１の左右の側部２３の下面がハウジング３１の両方の側部３３に形成されたロック突条３３ｂの上面と係合する。そのため、ガイド部材２１は、振動等による不測の外力が付与されても、上限位置から移動して、落下することがない。
【００２７】
続いて、端子４１をハウジング３１の下面から挿入して端子受入溝３７に装填する。ところで、前記端子４１は金属板を打抜くことによって形成され、２種類の形状のものが使用され、ハウジング３１には、２種類の形状の端子４１ａ及び４１ｂがハウジング３１の幅方向に交互に配列されるように装填される。すなわち、前記端子４１ａ及び４１ｂには、後述される移動規制部４４の先端に凹部４５が形成された第１の種類と、移動規制部４４の先端がほぼ直線状に形成された第２の種類とが存在する。この場合、第１の種類の端子４１ａが装填される。なお、第２の種類の端子４１ｂは、後述する組立工程で装填される。
【００２８】
そして、図６（ａ）に示されるように、アクチュエータ１１をハウジング３１の後方から矢印Ｃで示される方向に移動させてハウジング３１に取付ける。ここで、該ハウジング３１の後部３５の上面からは、第１の種類の端子４１ａにおける移動規制部４４の先端が突出した状態になっている。また、ガイド部材２１が上限位置に到達しているので、ガイド部材２１の本体部２２の下面とハウジング３１の後部３５の上面との間の距離は、アクチュエータ１１を収容可能な長さとなっている。そして、前記アクチュエータ１１は、第２位置に対応する姿勢で、すなわち、本体部１５の下面がハウジング３１の後部３５の上面と平行となる姿勢で、矢印Ｃで示される方向に移動させられる。
【００２９】
ところで、前記アクチュエータ１１は、本体部１５の前端面に、アクチュエータ１１が第２位置としての閉位置になったときに、前記挿入口３４から挿入されたＦＦＣ６１を前方、すなわち、前記端子受入溝３７内に装填された端子４１ａ及び４１ｂの後述される前腕ビーム部４３の方向に向けて押圧する複数の押圧部１４を有する。また、該押圧部１４はアクチュエータ１１が第１位置としての開位置となったときには、後方に移動してＦＦＣ６１の挿入を可能にする。なお、前記押圧部１４の間には、前記端子４１ａ及び４１ｂの移動規制部４４を収容するための後述される収容溝１２ａ及び１２ｂが複数形成されている。該収容溝１２ａ及び１２ｂの数及び位置は、前記端子受入溝３７と対応する。また、前記本体部１５は、アクチュエータ１１が閉位置になったときに前記ＦＦＣ６１の挿入方向とほぼ直角になり、アクチュエータ１１が開位置になったときに前記ＦＦＣ６１の挿入方向との間に所定の角度を形成するように傾斜する。この場合、前記本体部１５の上面の角度は、図６（ｂ）に示されるようなガイド部材２１の本体部２２の下側傾斜面２２ｂの角度とほぼ同一となる。
【００３０】
さらに、各収容溝１２ａ内には後述されるストッパピン部１６が形成されている。そして、アクチュエータ１１をハウジング３１に取付けると、前記ストッパピン部１６が第１の種類の端子４１ａにおける移動規制部４４の先端に形成された凹部４５内に入り込むようになっている。なお、アクチュエータ１１が第１位置から第２位置になるように、また、第２位置から第１位置になるように姿勢変化する際には、前記ストッパピン部１６の中心が前記移動規制部４４の先端の凹部４５の近傍を移動しながら傾きを変えて姿勢変化する。これにより、図６（ｂ）に示されるように、アクチュエータ１１がハウジング３１に取付けられる。この場合、アクチュエータ１１及びガイド部材２１は第２位置としての閉位置となっている。
【００３１】
続いて、移動規制部４４の先端がほぼ直線状に形成された第２の種類の端子４１ｂをハウジング３１の下面から挿入して端子受入溝３７に装填する。これにより、直線上の移動規制部４４の先端が前記ストッパピン部１６の後方に位置するので、前記直線上の移動規制部４４の先端によってストッパピン部１６の後方向への移動が規制される。そのため、前記アクチュエータ１１は、装填された第２の種類の端子４１ｂの移動規制部４４によって、ハウジング３１から離脱することが防止されるようになる。
【００３２】
次に、基板に実装されたコネクタ１０の動作について説明する。
【００３３】
図７は本発明の実施の形態におけるアクチュエータ及びガイド部材が第１位置にあるときのコネクタの内部を示す第１の側断面図、図８は本発明の実施の形態におけるアクチュエータ及びガイド部材が第１位置にあるときのコネクタの内部を示す第２の側断面図、図９は本発明の実施の形態におけるアクチュエータ及びガイド部材が第２位置にあるときのコネクタの内部を示す側断面図である。
【００３４】
本実施の形態において、第１の種類の端子４１ａ及び第２の種類の端子４１ｂは、金属板を打抜くことによって形成され、図７及び８に示されるように、コネクタ１０のハウジング３１の各端子受入溝３７内に１つずつ装填されている。また、図７〜９は、コネクタ１０が図示されない基板に実装された状態を示しており、グランド部材２４のテール部２４ｂが基板の面上に形成された接地用ランドにはんだ付等によって接続され、端子４１ａ及び４１ｂのテール部４２が前記基板の面上に形成された配線にはんだ付等によって接続された状態を示している。なお、ネイル部材５１の突出部５１ｃも基板の面上に形成された接続パッドにはんだ付等によって接続されている。
【００３５】
そして、前記端子４１ａ及び４１ｂは、概略Ｕ字形状を有し、移動規制部４４及び前腕ビーム部４３が端子受入溝３７内において上方に向かって延在している。なお、前記端子４１ａ及び４１ｂは、前述のように、ハウジング３１の下方から端子受入溝３７内に挿入され、移動規制部４４の前端及び後端（図７〜９における左端及び右端）が、ハウジング３１の後部３５において端子受入溝３７の前面及び後面を構成する面によって、前後方向から挟まれて固定されている。
【００３６】
ここで、前記前腕ビーム部４３は、ＦＦＣ６１の信号線と電気的に接続するコンタクト片として機能するものであり、その先端（図７〜９における上端）近傍には後方に突出するコンタクト部４３ａが形成されている。なお、前記ＦＦＣ６１は、図９に示されるように、信号線の露出した面が前方（図７〜９における左方）を向くようにしてハウジング３１の挿入口３４に挿入されるものとする。
【００３７】
ところで、ＦＦＣ６１は、例えば、液晶ディスプレイ、プラズマディスプレイ等のような狭い実装空間での使用に適しており、電気的絶縁性を示す第１の絶縁層上に、導電性を有する箔（はく）状の信号線が複数本、例えば、２０本程度、所定のピッチ、例えば、約０．５〔ｍｍ〕で並列に配設される。そして、前記信号線の上には電気的絶縁性を示す第２の絶縁層が配設され、該第２の絶縁層の上には、ノイズや誤動作の発生を抑制するための導電性を備える金属製のグランド層が配設される。また、第１の絶縁層の下には第１のシールド部材が配設され、グランド層の上には第２のシールド部材が配設される。
【００３８】
そして、コネクタ１０の挿入口３４に挿入される端部においては、第２の絶縁層が第１の絶縁層よりも短くなるように除去され、信号線の上面が露出している。また、グランド層は第２の絶縁層よりも短くなっている。さらに、第２のシールド部材がグランド層よりも短く、該グランド層の上面が露出している。また、第１のシールド部材と第２のシールド部材とはほぼ同じ長さであり、第１の絶縁層と信号線とはほぼ同じ長さである。これにより、信号線の露出位置とグランド層の露出位置とは、ＦＦＣ６１の挿入方向において相違する。すなわち、信号線の露出位置はＦＦＣ６１の挿入方向において先端から所定の範囲となり、グランド層の露出位置はＦＦＣ６１の挿入方向において信号線の露出位置よりも後方寄り、すなわち、手前側となる。なお、コネクタ１０の挿入口３４に挿入される際には、露出した信号線の上面及びグランド層の上面が前方を向くようにして挿入される。これにより、信号線は端子４１ａ及び４１ｂの前腕ビーム部４３のコンタクト部４３ａと接触することができ、グランド層はグランド部材２４のコンタクト部２４ａと接触することができる。
【００３９】
図７及び８に示されるように、アクチュエータ１１及びガイド部材２１が第１位置としての開位置にあるときには、アクチュエータ１１の押圧部１４が後方（図７及び８における右方）に移動した状態になり、前方（図７及び８における左方）への突出量は比較的小さくなっている。そのため、挿入口３４から挿入されたＦＦＣ６１は、その後面が押圧部１４に当接しても、ほとんど前方向に押されることがないので、スムーズに挿入される。また、ガイド部材２１の押圧部２２ａは、グランド部材２４のコンタクト部２４ａよりも下方に移動した状態になり、ガイド部材２１の本体部２２のガイド面２２ｃとグランド部材２４のコンタクト部２４ａとの間隔が広くなっている。そのため、挿入口３４から挿入されたＦＦＣ６１は、ガイド部材２１の本体部２２のガイド面２２ｃとグランド部材２４のコンタクト部２４ａとの間をスムーズに通過することができる。
【００４０】
ところで、開位置において、アクチュエータ１１の本体部１５は、ＦＦＣ６１の挿入方向との間に所定の角度を形成するように傾斜している。この場合、前記本体部１５の上面は、その角度がガイド部材２１の本体部２２の下側傾斜面２２ｂの角度とほぼ同一となり、前記下側傾斜面２２ｂに近接している。また、開位置においては、ガイド部材２１の左右の側部２３に形成された係合突起２３ａの対向面に形成されたロック溝が、ハウジング３１の両方の側部３３の表面に形成されたロック突条３３ｂと係合している。そのため、ガイド部材２１は、開位置よりも下方に移動することがない。さらに、開位置においては、図１、３及び４に示されるように、アクチュエータ１１の側部１３におけるカム部１３ａが、ネイル部材５１の板ばね部５１ａにおける突起部５１ｃの下側傾斜面に係合している。そのため、アクチュエータ１１は、振動等による不測の外力が付与されても、開位置より、図４（ｃ）、７及び８における時計回り方向に姿勢変化することがない。
【００４１】
そして、前記挿入口３４へのＦＦＣ６１の挿入が完了すると、該ＦＦＣ６１の先端が図９に示されるように、前腕ビーム部４３のコンタクト部４３ａよりも下方に到達し、ＦＦＣ６１の挿入方向において、信号線の露出部分が前腕ビーム部４３のコンタクト部４３ａに対面し、グランド層の露出部分がグランド部材２４のコンタクト部２４ａに対面する。
【００４２】
続いて、オペレータが前記アクチュエータ１１を図４（ｃ）、７及び８における時計回り方向に姿勢変化させ、図９に示されるような第２位置としての閉位置にある状態とする。この場合、前述のように、アクチュエータ１１のカム部１３ａがネイル部材５１の突起部５１ｃに係合しているが、オペレータの手指による操作力程度の強い力が付与された場合には、ネイル部材５１の板ばね部５１ａが弾性変形して、カム部１３ａと突起部５１ｃとの係合が解除されるので、アクチュエータ１１を開位置から時計回り方向に姿勢変化させて、図９に示されるような閉位置にすることができる。
【００４３】
そして、アクチュエータ１１の時計回り方向の姿勢変化を続行すると、突起部５１ｃとの係合が解除されたカム部１３ａが上昇し、ガイド部材２１の左右の側部２３の下面に当接し、該側部２３を上方に向けて押圧する。そのため、係合突起２３ａの対向面に形成されたロック溝とハウジング３１の両方の側部３３の表面に形成されたロック突条３３ｂとの係合が解除され、ガイド部材２１は前記側部３３のガイド突起３３ａに沿って上方向にスライドして上昇する。
【００４４】
そして、アクチュエータ１１が第２位置としての閉位置になると、図９に示されるように、本体部１５がＦＦＣ６１の挿入方向とほぼ直角になり、カム部１３ａがその上限位置に到達する。これにより、ガイド部材２１もその上限位置に到達し、第２位置としての閉位置になる。なお、ガイド部材２１が上限位置に到達すると、ガイド部材２１の左右の側部２３の下面がハウジング３１の両方の側部３３に形成されたロック突条３３ｂの上面と係合する。そのため、ガイド部材２１は、振動等による不測の外力が付与されても、上限位置から移動して、落下することがない。すなわち、ガイド部材２１は、閉位置から開位置に向けて姿勢変化することがない。なお、オペレータの手指による操作力程度の強い力が付与された場合には、ガイド部材２１の左右の側部２３の下面がロック突条３３ｂを乗り越えるので、ガイド部材２１は、上限位置から移動し、閉位置から開位置に向けて姿勢変化する。
【００４５】
また、アクチュエータ１１が閉位置になると、前記カム部１３ａの面であり、アクチュエータ１１の本体部１５に対して垂直な面がＦＦＣ６１の挿入方向と平行になり、ネイル部材５１の板ばね部５１ａに平行に対面する。そして、この状態からアクチュエータ１１が図４（ｃ）、７及び８における反時計回り方向に姿勢変化しようとすると、前記カム部１３ａの面が傾斜してネイル部材５１の突起部５１ｃを前方に向けて押圧するので、板ばね部５１ａによる反力を受けることになる。そのため、アクチュエータ１１は、振動等による不測の外力が付与されても、図４（ｃ）、７及び８における反時計回り方向に姿勢変化することがない。すなわち、アクチュエータ１１は、閉位置から開位置に向けて姿勢変化することがない。なお、オペレータの手指による操作力程度の強い力が付与された場合には、カム部１３ａの面が傾斜してネイル部材５１の突起部５１ｃを前方に向けて押圧し、ネイル部材５１の板ばね部５１ａを大きく弾性変形させることができるので、アクチュエータ１１を閉位置から反時計回り方向に姿勢変化させて、図７及び８に示されるような開位置にすることができる。
【００４６】
さらに、アクチュエータ１１が第２位置としての閉位置になると、図９に示されるように、押圧部１４が前方に移動した状態になり、前方への突出量が大きくなっている。そのため、前記押圧部１４は、ＦＦＣ６１の後面に当接して前方に向いた力を付与し、ＦＦＣ６１をコンタクト片としての前腕ビーム部４３のコンタクト部４３ａに押付ける。これにより、前記ＦＦＣ６１の前側の表面において露出している信号線がコンタクト部４３ａに当接して電気的接続部が形成され、前記信号線と端子４１ａ及び４１ｂとが電気的に接続される。なお、前腕ビーム部４３は、ばね性を有し、ＦＦＣ６１が押付けられることによって、弾性的に変形するので、信号線とコンタクト部４３ａとの接続が良好に維持される。
【００４７】
また、アクチュエータ１１が閉位置になると、前述のようにガイド部材２１も閉位置になる。そして、ガイド部材２１が閉位置になると、図９に示されるように、押圧部２２ａが上方に移動した状態になり、グランド部材２４のコンタクト部２４ａにほぼ対面した位置になる。なお、図９における点線は、開位置にあるガイド部材２１を示しており、ガイド部材２１が開位置から閉位置に姿勢変化することによる押圧部２２ａの上方への移動量を視覚的に把握することができるようになっている。そして、前記押圧部２２ａは、ＦＦＣ６１の挿入方向において信号線の露出位置よりも手前側に位置するグランド層の露出位置に対応する位置において、ＦＦＣ６１の後面に当接して前方に向いた力を付与し、ＦＦＣ６１をグランド部材２４のコンタクト部２４ａに押付ける。これにより、前記ＦＦＣ６１の前側の表面において露出しているグランド層がコンタクト部２４ａに当接して電気的接続部が形成され、前記グランド層とグランド部材２４とが電気的に接続される。なお、該グランド部材２４は、ばね性を有し、ＦＦＣ６１が押付けられることによって、弾性的に変形するので、グランド層とコンタクト部２４ａとの接続が良好に維持される。
【００４８】
そして、前記グランド部材２４のテール部２４ｂが基板の面上に形成された接地用ランドにはんだ付等によって接続されているので、前記グランド層が接地され、ノイズが前記信号線に生じても、前記ノイズをグランド層、次にグランド部材２４を介して、基板の接地用ランドに順に流すことができ、ノイズによる各種機器への悪影響を防止することができる。この場合、信号線が端子４１ａ及び４１ｂと接続する位置よりもＦＦＣ６１の挿入方向に関して手前側（図９における上側）において、グランド層がグランド部材２４のコンタクト部２４ａと接続しているので、ノイズが前記信号線に生じても、前記ノイズを前記信号線や他の信号線と端子４１ａ及び４１ｂとの接続部の近傍を通すことなく、基板の接地用ランドに流すことができる。そのため、信号線と端子４１ａ及び４１ｂとの接続部において、前記ノイズの発生を抑制することができる。
【００４９】
なお、前述のように、オペレータが開位置にあるアクチュエータ１１を姿勢変化させて閉位置にある状態とする際に、ネイル部材５１の板ばね部５１ａが弾性変形してネイル部材５１の突起部５１ｃに係合していたアクチュエータ１１のカム部１３ａは、突起部５１ｃとの係合が急激に解除される。そのため、前記オペレータに確かなクリック感を与えることができ、ＦＦＣ６１の信号線と端子４１ａ及び４１ｂとが電気的に接続されたこと、及び、グランド層とコンタクト部２４ａとが電気的に接続されたことを前記オペレータに認識させることができる。
【００５０】
また、コネクタ１０に挿入されて接続されたＦＦＣ６１が外力を受けて抉（こじ）られた場合でも、ＦＦＣ６１の挿入方向に関して手前側においてガイド部材２１がＦＦＣ６１を保持しており、前記ガイド部材２１が前記外力を一時的に受けることになるので、アクチュエータ１１が前記外力によって閉位置から開位置に向かって姿勢を変化させることがない。すなわち、抉りによるアクチュエータ１１の姿勢変化を防止することができる。そのため、ＦＦＣ６１がコネクタ１０から外れることを確実に防止することができる。
【００５１】
このように、本実施の形態においては、ハウジング３１にアクチュエータ１１と連動するガイド部材２１が取付けられ、該ガイド部材２１の押圧部２２ａがＦＦＣ６１をグランド部材２４のコンタクト部２４ａに押付けることによって、グランド層がコンタクト部２４ａに当接して電気的に接続される。この場合、グランド部材２４のコンタクト部２４ａとＦＦＣ６１のグランド層との接続部が、信号線と端子４１ａ及び４１ｂとの接続部よりもＦＦＣ６１の挿入方向に関して手前側に位置するので、信号線に発生したノイズが前記信号線や他の信号線と端子４１ａ及び４１ｂとの接続部の近傍を通ることがなく、信号線と端子４１ａ及び４１ｂとの接続部において、前記ノイズの発生を抑制することができる。
【００５２】
また、ガイド部材２１の押圧部２２ａが、ＦＦＣ６１の挿入方向において信号線の露出位置よりも手前側に位置するグランド層の露出位置に対応する位置において、ＦＦＣ６１の後面に当接して前方に向いた力を付与し、ＦＦＣ６１をグランド部材２４のコンタクト部２４ａに押付けるようになっている。そのため、ＦＦＣ６１の前側の表面において露出しているグランド層がコンタクト部２４ａに当接して電気的接続部が形成され、前記グランド層とグランド部材２４との電気的接続が確実に維持される。
【００５３】
なお、本実施の形態においては、コネクタ１０が基板に対して立設された状態で実装される、すなわち、挿入口３４が上方に向けて開放し、ＦＦＣ６１の挿入方向が基板に対して垂直となる方向で実装されたストレートタイプの例についてのみ説明したが、前記コネクタ１０は、基板に対して平行な状態、すなわち、横向きの状態で実装することもできる。これは、端子４１ａ及び４１ｂ、グランド部材２４及びネイル部材５１の形状を変更して、コネクタ１０のハウジング３１における前部３２の前面が基板に対面した状態で、前記端子４１ａ及び４１ｂのテール部４２、グランド部材２４のテール部２４ｂ及びネイル部材５１の突出部５１ｂが基板の面上に形成された配線、接地用ランド及び接続パッドにはんだ付等によって接続されるようにすることによって実現することができる。
【００５４】
また、本実施の形態においては、２種類の種類の端子４１ａ及び４１ｂを使用し、第１の種類の端子４１ａの移動規制部４４と第２の種類の端子４１ｂの移動規制部４４との間において、アクチュエータ１１のストッパピン部１６の中心が移動しながら姿勢変化することができるようになっているが、１種類の端子を使用してアクチュエータ１１の移動を規制するようにしてもよいし、アクチュエータ１１の外側面に凸部を形成するとともに、該凸部と係合する凹部をハウジング３１の内側面に形成し、前記凸部と凹部とを係合させることによって、アクチュエータ１１の移動を規制するようにしてもよい。
【００５５】
さらに、本発明は前記実施の形態に限定されるものではなく、本発明の趣旨に基づいて種々変形させることが可能であり、それらを本発明の範囲から排除するものではない。
【図面の簡単な説明】
【００５６】
【図１】本発明の実施の形態におけるコネクタを示す斜視図でありアクチュエータが第１位置にあるときの斜め上前方から観た図である。
【図２】従来のコネクタの断面図である。
【図３】本発明の実施の形態におけるコネクタを示す斜視図でありアクチュエータが第１位置にあるときの斜め上後方から観た図である。
【図４】本発明の実施の形態におけるコネクタの三面図である。
【図５】本発明の実施の形態におけるコネクタのハウジングにガイド部材を取付ける方法を示す図である。
【図６】本発明の実施の形態におけるコネクタのハウジングにアクチュエータを取付ける方法を示す図である。
【図７】本発明の実施の形態におけるアクチュエータ及びガイド部材が第１位置にあるときのコネクタの内部を示す第１の側断面図である。
【図８】本発明の実施の形態におけるアクチュエータ及びガイド部材が第１位置にあるときのコネクタの内部を示す第２の側断面図である。
【図９】本発明の実施の形態におけるアクチュエータ及びガイド部材が第２位置にあるときのコネクタの内部を示す側断面図である。
【符号の説明】
【００５７】
１０    コネクタ
１１    アクチュエータ
１２    収容溝
１３、２３、３３    側部
１３ａ    カム部
１４、２２ａ    押圧部
１５、２２    本体部
１６    ストッパピン部
２１    ガイド部材
２２ｂ    下側傾斜面
２２ｃ    ガイド面
２３ａ    係合突起
２４    グランド部材
２４ａ、４３ａ    コンタクト部
２４ｂ、４２    テール部
３１    ハウジング
３２    前部
３２ａ    グランド取付部
３３ａ    ガイド突起
３３ｂ    ロック突条
３３ｃ    ストッパ突起
３４    挿入口
３５    後部
３７    端子受入溝
３８    グランド収容凹部
４１、４１ａ、４１ｂ    端子
４３    前腕ビーム部
４４    移動規制部
４５    凹部
５１    ネイル部材
５１ａ    板ばね部
５１ｂ    突出部
５１ｃ    突起部
６１    ＦＦＣ
【図１】
2006190596.tif 000003
【図２】
2006190596.tif 000004
【図３】
2006190596.tif 000005
【図４】
2006190596.tif 000006
【図５】
2006190596.tif 000007
【図６】
2006190596.tif 000008
【図７】
2006190596.tif 000009
【図８】
2006190596.tif 000010
【図９】
2006190596.tif 000011